(57)【要約】【課題】画面上のＥＰＧといった番組表で表示されるチャンネル数よりも少ないチューナ数で、このチューナ数よりも多い複数の番組の映像を同時に提示すること。【解決手段】選局制御部３０１の制御によって放送波処理部２１，２２が選局して出力した番組の信号に基づいて、番組関連情報抽出部３０４が抽出した番組関連情報が提示され、ＯＳＤ生成部３０５が生成した番組表が表示器６１に表示される。合成部３０６は、この番組表に、放送波処理部２１から入力された信号に基づいて動画出力処理部３０２が生成した動画映像と、放送波処理部２２が順次選局した信号に基づいて映像出力処理部３０３が順次生成した複数の静止画像とを合成する。【選択図】  図３
2011071582.tif 000002
【特許請求の範囲】
【請求項１】
複数のチャンネルを選局して取得した信号に所定の処理を並行して施す複数の放送波処理手段と、
前記複数の放送波処理手段が処理した前記信号に基づいて、前記複数のチャンネルで放送される番組に関する複数の番組関連情報が提示される番組表を出力する番組表出力手段と、
を具備し、
前記番組表出力手段が出力する前記番組表は、前記複数のチャンネルそれぞれで現在放送されている複数の番組の映像を当該番組の番組関連情報と関連付けて提示する、複数の映像提示領域を有し、
前記複数の映像提示領域は、前記複数の放送処理手段の数よりも多い数で配置され、現在視聴のために選局して出力しているチャンネルの動画映像と、前記複数のチャンネルを順次選局して取得した前記複数のチャンネルで放送されている前記複数の番組の静止画像とが提示される、
ことを特徴とする映像出力装置。
【請求項２】
前記複数の番組の静止画像は、前記番組表出力手段が出力する前記番組表に提示されるチャンネルに対して、前記複数の放送波処理手段が巡回して処理した信号に基づいて、順次書き換えて提示されることを特徴とする請求項１記載の映像出力装置。
【請求項３】
前記番組表出力手段は、前記動画映像が隠されることを避けた、前記動画映像の近傍に前記番組表を出力する、または、前記番組表出力手段は、画面全体に提示される前記動画映像の一部に重畳した領域に前記番組表を出力することを特徴とする請求項２記載の映像出力装置。
【請求項４】
前記番組表に静止画像で提示される前記複数の番組から特定の番組を選択することを利用者に許可する選択手段とを具備し、
前記選択手段が選択を許可した前記特定の番組が、動画映像として前記画面全体に出力されるように切り替えられることを特徴とする請求項３記載の映像出力装置。
【請求項５】
前記切り替えられた動画映像に対応する音声が出力されることを特徴とする請求項４記載の映像出力装置。
【請求項６】
前記番組表出力手段は、現在よりも後に放送される複数の番組の番組関連情報も併せて提示される番組表を出力し、前記出力された番組表には、前記提示された複数の番組関連情報が、チャンネルと時刻とのマトリクスにより配置されていることを特徴する請求項２記載の映像出力装置。
【請求項７】
前記番組表に静止画像で提示される前記複数の番組から特定の番組を選択することを利用者に許可する選択手段とを具備し、
前記選択手段が選択を許可した前記特定の番組が、動画映像として出力されるように切り替えられることを特徴とする請求項６記載の映像出力装置。
【請求項８】
前記切り替えられた動画映像に対応する音声が出力されることを特徴とする請求項７記載の映像出力装置。
【請求項９】
前記選択手段が選択を許可した前記特定の番組の静止画像と前記番組関連情報とが関連付けて強調して提示されることを特徴とする請求項７記載の映像出力装置。
【請求項１０】
複数のチャンネルを選局して取得した信号に所定の処理を施し、
処理を施した前記信号に基づいて、前記複数のチャンネルで放送される番組に関する複数の番組関連情報が提示される番組表を出力し、
出力する前記番組表は、前記複数のチャンネルそれぞれで現在放送されている複数の番組の映像を当該番組の番組関連情報と関連付けて提示する、複数の映像表示領域を有し、
前記複数の映像表示領域は、前記所定の処理を並行して施す数よりも多い数で配置され、現在視聴のために選局して出力しているチャンネルの動画映像と、前記複数のチャンネルを順次選局して取得した前記複数のチャンネルで放送されている前記複数の番組の静止画像とが提示される、
ことを特徴とする映像出力方法。
【発明の詳細な説明】
【技術分野】
【０００１】
本発明は、複数のチューナで受信した複数のチャンネルの放送番組の映像を出力する映像出力装置および映像出力方法に関する。
【背景技術】
【０００２】
近年、地上デジタル放送波や衛星デジタル放送波といった放送波、インターネットやＣＡＴＶ（Community  Antenna  TeleVision；ケーブルテレビ；以下ＣＡＴＶと称する）といったネットワークなどの様々な伝送経路により、多くの放送番組が提供されている。また、これら多くの放送番組は、それぞれの放送波ごとに定義されたチャンネルによって同一時刻において個別に提供されている。そして、これらの番組を取得する装置の利用者は、同一時刻において提供される多くの放送番組の中から特定のチャンネルで提供される番組を選択して、番組を取得する装置による視聴や録画に供することができる。
【０００３】
このように多くの放送番組の中から利用者が番組を選択する際に、現在放送中の複数のチャンネルで提供される複数の放送番組の映像を同時に見ながら、番組表を確認する、または、任意の放送番組を選択するという利用者のニーズがある。そこで、従来、このニーズに対応する様々な手法が開示されている。
【０００４】
例えば、特許文献１には、複数のチューナを備えたテレビジョン受像機で生成される番組表において、現在放送中の番組に対応する番組内容表示欄に、各チャンネルの番組の映像信号に基づく画像を嵌め込んで表示する手法が開示されている。
【０００５】
また、特許文献２では、予め選局されている番組に重ねられて、特定の複数のチャンネルが選択可能に表示される番組表において、現在の日時の特定のチャンネルが選択された場合、選択されたチャンネルで現在放送されている番組の画像を同時に提示する手法が開示されている。
【先行技術文献】
【特許文献】
【０００６】
【特許文献１】特開２００６−１００９４９号公報  （図２  段落００２０）
【特許文献２】特開平０９−２４７５６５号公報  （図７  段落００７１）
【発明の概要】
【発明が解決しようとする課題】
【０００７】
しかし、特許文献１による手法は、番組表に表示される各チャンネルの番組の内容をリアルタイムの動画により表示するものであったので、番組表に表示されるチャンネル分のチューナが必要となり、装置を構成することが容易ではなかった。
【０００８】
また、特許文献２による手法は、現在放送されている複数のチャンネルの番組のうち、表示された番組表で選択された特定のチャンネルの番組の画像のみが提示されるものであった。また、予め選局されている番組と表示された番組表で選択された番組それぞれの画像を同時に提示するためのチューナに関する記述（特に数に関する記述）がされていなかったので、実現困難な手法となっていた。
【０００９】
すなわち従来は、画面上のＥＰＧといった番組表で表示されるチャンネル数よりも少ないチューナ数で、このチューナ数よりも多い複数の番組の映像を同時に提示することはできなかった。
【００１０】
そこで、本発明は上述した課題を解決するために、所定数のチューナを利用して、このチューナ数よりも多いチャンネル数の複数の番組の映像を同時に提示することができる映像出力装置および映像出力方法を提供することを目的とする。
【課題を解決するための手段】
【００１１】
本発明は上述した課題を解決するため、複数のチャンネルを選局して取得した信号に所定の処理を並行して施す複数の放送波処理手段と、前記複数の放送波処理手段が処理した前記信号に基づいて、前記複数のチャンネルで放送される番組に関する複数の番組関連情報が提示される番組表を出力する番組表出力手段とを具備し、前記番組表出力手段が出力する前記番組表は、前記複数のチャンネルそれぞれで現在放送されている複数の番組の映像を当該番組の番組関連情報と関連付けて提示する、複数の映像表示領域を有し、前記複数の映像表示領域は、前記複数の放送処理手段の数よりも多い数で配置され、現在視聴のために選局して出力しているチャンネルの動画映像と、前記複数のチャンネルを順次選局して取得した前記複数のチャンネルで放送されている前記複数の番組の静止画像とが提示されることを特徴とするものである。
【００１２】
また本発明は上述した課題を解決するため、複数のチャンネルを選局して取得した信号に所定の処理を施し、処理を施した前記信号に基づいて、前記複数のチャンネルで放送される番組に関する複数の番組関連情報が提示される番組表を出力し、出力する前記番組表は、前記複数のチャンネルそれぞれで現在放送されている複数の番組の映像を当該番組の番組関連情報と関連付けて提示する、複数の映像表示領域を有し、前記複数の映像表示領域は、前記所定の処理を並行して施す数よりも多い数で配置され、現在視聴のために選局して出力しているチャンネルの動画映像と、前記複数のチャンネルを順次選局して取得した前記複数のチャンネルで放送されている前記複数の番組の静止画像とが提示されることを特徴とするものである。
【発明の効果】
【００１３】
本発明によれば、所定数のチューナを利用して、このチューナ数よりも多いチャンネル数の複数の番組の映像を同時に提示することができる。
【図面の簡単な説明】
【００１４】
【図１】本発明の実施形態に係る映像出力装置であるテレビジョン受像機の構成を示すブロック図。
【図２】複数の操作入力の情報それぞれに対応付けられた複数のキーが設けられたリモコンを示す図。
【図３】本実施形態における、複数のチャンネルによる複数の番組に関する番組関連情報と映像とを関連付けて提示する番組表を生成する処理を実行する各ブロックによるシステム構成図。
【図４】複数のチャンネルによる複数の番組に関する番組関連情報と映像とを関連付けて提示する番組表を生成する処理の動作を説明するためのフローチャート。
【図５】動画出力処理部が生成する動画映像の近傍に、ＯＳＤ生成部が生成する番組リストと、映像出力処理部が順次生成する静止画像とが合成された画面の一例。
【図６】動画出力処理部が生成する動画映像上に、ＯＳＤ生成部が生成する番組リストと、映像出力処理部が順次生成する静止画像とが重畳されて合成された画面の一例。
【図７】ＯＳＤ生成部が生成するＥＰＧに、動画出力処理部が生成する動画映像と、映像出力処理部が順次生成する静止画像とが合成された画面の一例。
【発明を実施するための形態】
【００１５】
以下、本発明における実施形態について図面を用いて説明する。
図１は、本発明の実施形態に係る映像出力装置であるテレビジョン受像機１０の構成を示すブロック図である。
本実施形態に係るテレビジョン受像機１０は、放送波処理部２１，２２、外部機器ＩＦ部３１、ネットワークＩＦ部３２、信号処理制御部４０、操作部５１、受光部５２、表示器６１、スピーカ６２などで構成されている。また、放送波処理部２１，２２にはアンテナＡＮＴが接続されていて、受光部５２はリモコンＲＣと情報のやりとりを行う。
【００１６】
このテレビジョン受像機１０は、放送波処理部２１，２２で選局された複数のチャンネルの信号に基づいて、所定チャンネル数分の複数の番組に関する情報である番組関連情報と、少なくとも現在放送している複数の番組の静止画像とを表示器６１に表示する。さらに、テレビジョン受像機１０は、番組関連情報および複数の番組の静止画以外に、１つの番組の動画映像を併せて表示する。例えば、この番組関連情報は、所定チャンネル数分の所定時間分の複数の番組の番組関連情報が、チャンネルと時刻とのマトリクスにより配置されて提示される電子番組表（以下、ＥＰＧとも称する）や、所定チャンネル数分の現在の放送している複数の番組の番組関連情報が、チャンネル毎に提示される番組リストなどの番組表として表示される。
【００１７】
放送波処理部２１，２２は、アンテナＡＮＴによって受信された地上または衛星によるデジタル放送波やアナログ放送波に対応するチューナおよびデコーダを有する。この放送波処理部２１，２２は、アンテナＡＮＴが受信した信号を取得して、この取得した信号に対して特定チャンネルの選局処理および復調復号処理を施し、番組の映像音声情報や番組関連情報などが含まれる信号を信号処理制御部４０に出力する。
【００１８】
本実施形態のテレビジョン受像機１０では、地上デジタル放送波に対して処理を施す地上デジタル放送波用のチューナやデコーダとして、２個の放送波処理部２１，２２が備えられている。なお、放送波処理部２１，２２は、地上デジタル放送波用のチューナやデコーダでなく、地上アナログ放送波に対して処理を施す地上アナログ放送波用のチューナやデコーダや、衛星デジタル放送波または衛星アナログ放送波に対して処理を施す衛星デジタル放送波用または衛星アナログ放送波用のチューナやデコーダなどであってもよい。また数は２個以上備えられていればよく、２個に限定されるものではない。
【００１９】
外部機器ＩＦ部３１は、ＨＤＭＩ（登録商標）規格やＵＳＢ規格、ＩＥＥＥ１３９４規格などの様々な規格に準じた接続部によりテレビジョン受像機１０の外部機器や、外部ＨＤＤやメモリーカードなどの記録媒体などに接続する。そして、外部機器ＩＦ部３１は、この接続した外部機器や記録媒体などから提供される複数の番組の映像音声情報や番組関連情報などが含まれる信号を取得して信号処理制御部４０へ出力する。この外部機器ＩＦ部３１は、複数のチャンネルによって個別に提供される複数の番組の映像音声情報や番組関連情報を取得する。
【００２０】
ネットワークＩＦ部３２は、インターネットや、ＬＡＮ、ＷＡＮなどのネットワークに接続し、この接続したネットワークを介して提供される番組の映像音声情報や番組関連情報などが含まれる信号を取得して信号処理制御部４０へ出力する。また、ネットワークＩＦ部３２は、ネットワークを介してテレビジョン受像機１０の外部ＨＤＤやメモリーカードなどの記録媒体に接続して、この接続した記録媒体から複数の番組の映像音声情報や番組関連情報などが含まれる信号を読み出して取得し、信号処理制御部４０へ出力する。このネットワークＩＦ部３２は、複数のチャンネルによって個別に提供される複数の番組の映像音声情報や番組関連情報を取得する。
【００２１】
操作部５１は、テレビジョン受像機１０を操作する操作入力の情報を受信して信号処理制御部４０へ出力する。同様に受光部５２は、リモコンＲＣからの操作入力の情報を受光（受信）して信号処理制御部４０へ出力する。この操作部５１またはリモコンＲＣは、選局するチャンネルを選択するためのキーや、番組リストを提示するためのキー、ＥＰＧを提示するためのキーなどを備えている。
【００２２】
信号処理制御部４０は、操作部５１や受光部５２からの操作入力の情報に基づいて、放送波処理部２１，２２や外部機器ＩＦ部３１、ネットワークＩＦ部３２などから入力された情報に対して、圧縮されたデータの伸張処理などの様々な処理や、番組表を作成するための情報抽出処理を施す。この信号処理制御部４０は、取得された情報に対して、ＭＰＥＧ符号化／復号化演算処理や、映像信号と音声信号の分離処理などの様々な処理を施して表示器６１へ映像信号を出力し、スピーカ６２へ音声信号を出力する。また、信号処理制御部４０はＣＰＵを備えていて、信号処理制御部４０自身に備えられた各モジュールや信号処理制御部４０自身に接続された各モジュールを利用して複数の処理の実行を制御する。
【００２３】
本実施形態では、信号処理制御部４０は、放送波処理部２１，２２や、外部機器ＩＦ部３１、ネットワークＩＦ部３２などから取得された、複数のチャンネルによる複数の番組に関する番組関連情報をそれぞれの番組の映像と関連付けて提示する番組表を生成して表示器６１へ出力する。番組関連情報は、番組に関するチャンネル番号や、放送波、放送局名、番組名などの情報である。また、この番組表はＯＳＤ画像として生成され、放送波処理部２１，２２が選局する複数のチャンネルの番組から特定のチャンネルの番組を選択することができるように提示された番組選択部でもある。この番組表には、少なくとも現在放送している複数の番組の静止画像が提示される。
【００２４】
表示器６１は、信号処理制御部４０から入力された映像信号を表示する表示モジュールである。例えば、表示器６１は、液晶ディスプレイ（Liquid  Crystal  Display；以下、ＬＣＤとも称する）やＰＤＰ（Plasma  Display  Panel）などの薄型ディスプレイである。この表示器６１は、放送波処理部２１，２２や外部機器ＩＦ部３１、ネットワークＩＦ部３２などから入力された番組関連情報を、複数の番組の動画映像や静止画像と共に提示する番組表を表示する。なお、以降の説明は、表示器６１の例としてＬＣＤを適用するが、これに限定されるものではない。
【００２５】
スピーカ６２は、信号処理制御部４０から入力された音声信号を出力する。スピーカ６２は特に、表示器６１に表示される動画映像に対応する音声信号を出力する。
なお、本実施形態は、本発明に係る構成を適用した映像出力装置として、テレビジョン受像機を例とした形態であるが、本実施形態と同様の構造の、ＨＤＤレコーダ、ＤＶＤレコーダ、パーソナルコンピュータ、携帯移動端末などを例とした形態であっても構わない。また、テレビ放送や衛星放送だけでなく、ラジオ放送やインターネット等を用いた有線放送などを受信して映像信号を出力する映像出力装置であるセットトップボックスなどを例とした実施形態であってもよい。
【００２６】
このような構成により、本発明の実施形態に係るテレビジョン受像機１０は、放送波処理部２１，２２などで選局された複数のチャンネルの信号に基づいて、所定チャンネル数分の複数の番組に関する番組関連情報をそれぞれの番組の映像と関連付けて提示する番組表を生成して表示器６１に表示させる。また、テレビジョン受像機１０は、番組表だけでなく少なくとも、現在放送している複数の番組の静止画像を併せて表示器６１に表示させる。
【００２７】
つまり、これらの処理は、放送波処理部２１，２２などから入力された情報に基づいて、主に信号処理制御部４０が実行するものである。
次に、図２を用いて、図１で説明した受光部５２が受光する操作入力の情報を出力するリモコンＲＣに設けられた複数のキーを説明する。
図２は、複数の操作入力の情報それぞれに対応付けられた複数のキーが設けられたリモコンＲＣを示す図である。
テレビジョン受像機１０の利用者は、リモコンＲＣに設けられた特定のキーを押下し、この押下されたキーに対応付けられた操作入力の情報をリモコンＲＣから出力させてテレビジョン受像機１０を操作する。リモコンＲＣは、操作入力の情報を、赤外線などを利用してテレビジョン受像機１０へ出力する。
【００２８】
メニューキー２０１は、テレビジョン受像機１０に対する様々な設定や、操作を行うためのメニュー画面を表示器６１上で表示／消去させるキーである。
ＥＰＧキー２０２は、ＥＰＧ画面を表示器６１で表示／消去させるキーである。
リストキー２０３は、番組リスト画面を表示器６１で表示／消去させるキーである。
選局キー２０４の「１」から「１２」までのそれぞれの数字キーは、特定のチャンネルを受信するためのキーである。それぞれの数字キーに対して、特定のチャンネルの受信を対応付けることが可能である。
【００２９】
放送波選択キー２０５の地上波キーは、地上デジタル放送の受信を選択するためのキーであり、ＢＳキーは、ＢＳ放送の受信を選択するためのキーであり、さらに、ＣＳキーは、ＣＳ放送の受信を選択するためのキーである。これらのキーの押下により、テレビジョン受像機１０は、押下された放送波に対応するチューナやデコーダなどの処理ブロックを利用して特定のチャンネルを選局する。
【００３０】
方向キー２０６は、番組表画面に提示されている複数の番組関連情報や映像の中から、特定の番組関連情報や映像が選択されていることを示すフォーカスマークを移動するキーである。
【００３１】
決定キー２０７は、番組表画面に提示されている複数の番組関連情報や映像の中から選択されている映像に対して、静止画像から動画映像に切り替えて出力、または、対応する音声に切り替えて出力させるキーである。
【００３２】
戻るキー２０８および終了キー２０９は、番組表画面を表示器６１から消去させるキーである。
チャンネルアップダウンキー２１０は、受信するチャンネル番号をアップするチャンネルアップキー、および、受信するチャンネル番号をダウンするチャンネルダウンキーを備える。チャンネル番号のアップおよびダウンは、同一の放送波のうちで受信可能なチャンネルまたは選局するように設定されたチャンネルの中からチャンネル番号順で行なわれる。
【００３３】
また、リモコンＲＣには他にも多数のキーが備えられていても構わない。さらに、リモコンＲＣに設けられたキーと同等のキーが、操作部５１に設けられていても構わない。
【００３４】
すなわち、テレビジョン受像機１０の利用者は、リモコンＲＣなどに設けられた特定のキーを押下して、特定のチャンネルの番組の受信や、番組表画面の表示／消去、番組表画面中の特定の映像の選択、番組表画面中の特定の番組の映像や音声の切り替えなどの複数の動作を行うように、テレビジョン受像機１０を操作することが可能である。
【００３５】
次に、図３を用いて、主として図１で説明した信号処理制御部４０に備えられ、複数のチャンネルによる複数の番組に関する番組関連情報と映像とを関連付けて提示する番組表を生成する処理を実行する各ブロックを説明する。
【００３６】
図３は、本実施形態における、複数のチャンネルによる複数の番組に関する番組関連情報と映像とを関連付けて提示する番組表を生成する処理を実行する各ブロックによるシステム構成図である。
【００３７】
本実施形態に係る信号処理制御部４０は、選局制御部３０１、動画出力処理部３０２、映像出力処理部３０３、番組関連情報抽出部３０４、ＯＳＤ生成部３０５、合成部３０６などを備えている。
【００３８】
選局制御部３０１は、特定のチャンネルを選局するための選局情報を放送波処理部２１，２２に出力して、それぞれが特定のチャンネルを並行して選局するように制御する。
【００３９】
動画出力処理部３０２は、放送波処理部２１から入力された情報に含まれる特定チャンネルの番組の映像音声情報に基づいて動画映像と音声とを生成する。また、動画出力処理部３０２は、生成した動画映像の信号を合成部３０６へ出力し、生成した音声の信号をスピーカ６２へ出力する。
【００４０】
映像出力処理部３０３は、放送波処理部２２から入力された特定チャンネルの番組の映像音声情報に基づいて静止画像を生成し、生成した静止画像の信号を合成部３０６へ出力する。
【００４１】
番組関連情報抽出部３０４は、放送波処理部２１，２２から入力された情報に含まれる番組関連情報を抽出してＯＳＤ生成部３０５へ出力する。この番組関連情報抽出部３０４は、不定期に抽出した番組関連情報を図示しない記憶部に更新しながら格納し、この格納した番組関連情報をＯＳＤ生成部３０５へ出力する。
【００４２】
ＯＳＤ生成部３０５は、番組関連情報抽出部３０４から入力された番組関連情報に基づいて、番組リストやＥＰＧなどの番組表のＯＳＤ画面を生成し、生成したＯＳＤ画面の信号を合成部３０６へ出力する。
【００４３】
合成部３０６は、動画出力処理部３０２から入力された動画映像の信号と、映像出力処理部３０３から入力された静止画像の信号と、ＯＳＤ生成部３０５から入力されたＯＳＤ画面の信号とを合成した出力画面を生成する。また、合成部３０６は、生成した出力画面の映像信号を表示器６１へ出力する。
【００４４】
このようなシステムの構成により、本発明の実施形態に係る信号処理制御部４０は、複数のチャンネルによる複数の番組に関する番組関連情報と映像とを関連付けて提示する番組表を生成する処理を実行する。
【００４５】
次に、図４を用いて、図３で説明した各ブロックによって実行される、複数のチャンネルによる複数の番組に関する番組関連情報と映像とを関連付けて提示する番組表を生成する処理の動作を説明する。
【００４６】
図４は、複数のチャンネルによる複数の番組に関する番組関連情報と映像とを関連付けて提示する番組表を生成する処理の動作を説明するためのフローチャートである。
【００４７】
まず、動画出力処理部３０２が、放送波処理部２１から入力された特定のチャンネルの信号に基づいて、動画映像と音声とを生成して出力している状態で、番組表を出力する要求がなされたか否かが判断される（Ｓ４０１）。番組表を出力する要求がなされない場合（Ｓ４０１のＮｏ）は、番組表の出力要求判断（Ｓ４０１）が繰り返し実行される。一方、例えば、テレビジョン受像機１０の利用者が、リモコンＲＣに設けられたリストキー２０３などを押下することで、番組表を出力する要求がなされた場合（Ｓ４０１のＹｅｓ）、番組関連情報抽出部３０４は、抽出した番組関連情報をＯＳＤ生成部３０５へ出力する。そして、ＯＳＤ生成部３０５は、入力された番組関連情報に基づいて番組表を生成し、合成部３０６が、この番組表と動画出力処理部３０２が生成した動画映像とを合成した画面を、表示器６１に表示させる（Ｓ４０２）。
【００４８】
また、選局制御部３０１は、放送波処理部２１が現在選局している特定のチャンネルの選局を継続するように制御し、動画出力処理部３０２は、放送波処理部２１から入力された信号に基づいて、特定のチャンネルの動画映像と音声とを継続して生成して表示器６１に表示させる（Ｓ４０３）。
【００４９】
さらに、選局制御部３０１は、放送波処理部２１が選局しているチャンネルを除いた他のチャンネルを、放送波処理部２２が選局するように制御する。そして映像出力処理部３０３は、放送波処理部２２から入力された信号に基づいて、特定のチャンネルの静止画像を生成し、合成部３０６が、この静止画像を番組表の中で対応するチャンネルの番組関連情報に関連付けて配置するように合成した画面を表示器６１に表示させる。また選局制御部３０１は、番組表を出力する要求がなされて以降に映像出力処理部３０３が静止画像を生成したチャンネルと、放送波処理部２１が選局しているチャンネルとを除いた他のチャンネルを、放送波処理部２２が選局するように制御する。そして映像出力処理部３０３は、放送波処理部２２から入力された信号に基づいて、特定のチャンネルの静止画像を生成して表示器６１に表示させる。
【００５０】
このようにして、選局制御部３０１は、番組表を出力する要求がなされて以降に映像出力処理部３０３が静止画像を生成したチャンネルと、放送波処理部２１が選局しているチャンネルとを除いた他のチャンネルを、放送波処理部２２が順次選局するように制御する。さらに映像出力処理部３０３は、放送波処理部２２から入力された信号に基づいて、特定のチャンネルの静止画像を順次生成し、合成部３０６が番組表に順次合成した画面を表示器６１が表示する（Ｓ４０４）。
【００５１】
すなわち、順次生成されて出力される静止画像は、現在放送されている番組の静止画像となる。
このとき、選局制御部３０１は、放送波処理部２２が順次選局するチャンネルを所定の範囲に絞り込んで制御する。例えば、選局制御部３０１は、ＯＳＤ生成部３０５が生成した番組表に提示されている複数のチャンネルを選局範囲として、放送波処理部２２が順次選局するように制御する。また、選局制御部３０１が、放送波処理部２２に順次選局させるチャンネルの順序は、チャンネル番号に対する昇順または降順であることが好ましい。そして、選局制御部３０１は、番組表に提示されている複数のチャンネル全てを、一巡して放送波処理部２２に選局させた後、番組表に提示されている複数のチャンネルを、再び放送波処理部２２が順次選局するように制御する。すなわち、番組表に提示されている複数のチャンネルが、巡回して選局されることになる。例えば、選局制御部３０１が、放送波処理部２２に順次選局させる時間間隔や、巡回して選局させる時間間隔を短くすればするほど、静止画像が順次更新されるので、擬似的な動画映像として表示器６２に表示させることも可能である。
【００５２】
そして、放送波処理部２２が順次選局したチャンネルの信号を基に、映像出力処理部３０３が順次生成する静止画像を、合成部３０６が番組表に順次合成した画面を表示器６１が表示している状態では、番組表を消去（番組表の出力を停止）する要求がなされたか否かが判断される（Ｓ４０５）。番組表を消去する要求がなされない場合（Ｓ４０５のＮｏ）は、映像出力処理部３０３が順次生成する静止画像が番組表に順次合成された画面の表示（Ｓ４０４）が繰り返し実行される。
【００５３】
一方、例えば、テレビジョン受像機１０の利用者が、リモコンＲＣに設けられた終了キー２０９などを押下することで、番組表を消去する要求がなされた場合（Ｓ４０５のＹｅｓ）、映像出力処理部３０３が静止画像の出力を停止し、ＯＳＤ生成部３０５が番組表の生成または出力を停止する。そして、合成部３０６は、動画出力処理部３０２から入力される動画映像を表示器６１に出力して、表示器６１から番組表が消去される（Ｓ４０６）。番組表が消去された画面には、動画出力処理部３０２が生成する動画映像が表示される。
【００５４】
なお、番組表の消去に伴い、選局制御部３０１が、放送波処理部２２が特定のチャンネルを順次選局するように制御することを停止してもよい。また、選局制御部３０１が放送波処理部２２に順次選局するように制御すること、動画出力処理部３０２が順次静止画像を生成すること、および、ＯＳＤ生成部３０５が番組表を生成して出力することを継続して、合成部３０６が、これらの静止画像および番組表を合成せずに動画出力処理部３０２から入力される動画映像のみを出力してもよい。
【００５５】
次に、図５を用いて、通常の視聴のために出力されている状態を示す画面、および、動画出力処理部３０２が生成する動画映像の近傍に、ＯＳＤ生成部３０５が生成する番組リストと映像出力処理部３０３が順次生成する静止画像とが合成された画面の一例を説明する。
【００５６】
図５（ａ）に示す画面は、通常の視聴のために出力されている状態を示す画面の一例である。
この例では、放送局６で放送されている番組６の動画映像が表示器６１の画面全体に表示され、画面の右上にＯＳＤ画像としてこの番組の放送局名と番組名とが合成表示されている。また、番組６の音声がスピーカ６２から出力される。
【００５７】
図５（ａ）のような映像を生成するために、放送局６の番組６の信号が放送波処理部２１から動画出力処理部３０２に入力されて、この入力された信号を基に、動画出力処理部３０２が生成した番組６の動画映像が、合成部３０６に入力される。また、ＯＳＤ生成部３０５が生成した、放送局名である“放送局６”の文字と番組名である“番組６”の文字とからなるＯＳＤ画像が、合成部３０６に入力される。そして合成部３０６は、入力された番組６の動画映像に、入力されたＯＳＤ画像を画面右上に合成した画面の映像信号を表示器６１へ出力し、表示器６１が入力された画面を表示する。
【００５８】
図５（ａ）に示す画面が表示されている状態で、例えば、テレビジョン受像機１０の利用者が、リモコンＲＣに設けられたリストキー２０３などを押下すると、図５（ｂ）に示す画面が表示される。
【００５９】
図５（ｂ）に示す画面は、動画出力処理部３０２が生成する動画映像の近傍に、ＯＳＤ生成部３０５が生成する番組リストと映像出力処理部３０３が順次生成する静止画像とが合成された画面の一例である。
【００６０】
この例では、画面全体に表示されていた番組６の動画映像が、相似形に縮小されて、画面の左に寄せられた領域に提示される。そして、この領域の右隣に、番組１〜５それぞれの番組関連情報に対して、これらの番組の静止画像とを関連付けて提示する複数の映像提示領域が配置された番組リストが表示されている。この動画映像で表示される番組６および番組リストで提示される番組１〜５は、現在複数のチャンネルで放送されている番組である。また、番組６の音声がスピーカ６２から出力される。
【００６１】
このような映像を生成するために、放送波処理部２１が選局した番組６の信号に基づいて、動画出力処理部３０２が生成した番組６の動画映像の近傍に、ＯＳＤ生成部３０５が生成した番組リストの画像と、放送波処理部２２が順次選局した番組２〜５の信号に基づいて、映像出力処理部３０３が順次生成した番組１〜５それぞれの静止画像とが合成される。すなわち、番組１〜５の静止画像は、この番組リスト中で巡回して更新されて表示される。このようにして、放送波処理部２１，２２の数よりも多い数の番組の映像が配置される番組リストが表示される。
【００６２】
そして、これ以降では、図５（ｂ）に示す画面の構成を詳細に説明する。
図５（ｂ）に示す画面に表示される番組リストには、番組１の番組関連情報である放送局名“放送局１”と番組名“番組１”とが表示される領域の隣に、番組１の静止画像が関連付けて配置されて表示される。同様に、番組２〜５に関しても、それぞれの番組の番組関連情報が表示される領域の隣に、それぞれの番組の静止画像が関連付けて配置されて表示される。番組関連情報は、図５（ｂ）に示す画面のように、番組の静止画像の隣にこの静止画像と同等面積の領域で配置されるのではなく、番組の静止画像上の特定の領域に、最前面表示となるように、またはαブレンディングで重畳される実施形態であってもよい。
【００６３】
さらに、図５（ｂ）に示す画面では、特定の番組関連情報を表示する表示領域または特定の番組の映像（動画映像または静止画像）が選択（フォーカス）される。そして、特定の表示領域または映像が選択されている状態は、選択されている表示領域または映像の外周部の強調表示などによるフォーカスマークにより示される。具体的には、図５（ｂ）に示す画面では、番組２の番組関連情報の表示領域が強調表示されて選択されている。そして、フォーカスマークは、例えば、テレビジョン受像機１０の利用者が、リモコンＲＣに設けられた方向キー２０６を押下することで、移動することができる。
【００６４】
また、番組リストの上部の上向きの三角形および下部の下向きの三角形の記号それぞれは、表示されている番組リストで提示されているチャンネル以外にも提示できるチャンネルがあることを示す記号である。例えば、画面上の番組リストには、放送局１〜５（の番組１〜５）の５つのチャンネル（の番組）しか表示されていないが、これ以外の複数のチャンネルも選局できることがある。具体的には、図５（ｂ）に示す画面では、番組５がフォーカスされている状態で、テレビジョン受像機１０の利用者が、リモコンＲＣに設けられた方向キー２０６の下方向キーを押下することで、番組６、番組７、・・・と、これまでに番組リストに表示されていなかった新たな番組の番組関連情報と映像とを表示させることができる。
【００６５】
さらに、特定の表示領域または映像が選択されている状態で、テレビジョン受像機１０の利用者が、リモコンＲＣに設けられた決定キー２０７を押下することで、選択されていた番組の映像を動画映像として表示し、音声をスピーカ６２から出力させることができる。具体的には、図５（ｂ）に示す画面では、番組２の番組関連情報の表示領域が選択されている状態で決定キー２０７が押下されると、現在、動画映像と音声とが出力されている番組６に入れ替わり、番組２の映像が番組リストの近傍に動画映像として表示され、番組２の音声がスピーカ６２から出力される。そして番組６は、番組リストの中で、番組関連情報と共に静止画像で表示される。
【００６６】
現在動画映像と音声とが出力されている番組が、番組リストで提示されることがある。このような場合、現在動画映像と音声とが出力されている番組は、番組リストで選択することができないようにする実施形態や、番組リストにおける現在動画映像と音声とが出力されている番組の映像を静止画像ではなく、動画映像で表示する実施形態であってもよい。もしくは、現在動画映像と音声とが出力されている番組は、番組リストでは提示されないようにしてもよい。
【００６７】
さらに、番組リストで提示される放送局は、現在動画映像と音声とが出力されている番組の放送局と、同一の放送局であること、または、同一の放送局が優先的に提示されることが好ましい。同一の放送局とは、例えば、現在動画映像と音声とが出力されている番組の放送局が地上デジタル放送波の放送局であれば、番組リストで提示される放送局も地上デジタル放送波の放送局であるということである。放送局は、地上デジタル放送波ではなく、ＢＳデジタル放送波、ＣＳデジタル放送波などであってもよいことは言うまでもない。
【００６８】
また、図５（ｂ）に示した画面では、それぞれの番組が画面右に縦方向に配置される番組リストであるが、それぞれの番組が画面左に縦方向に配置される番組リストや、それぞれの番組が画面上または画面下に横方向に配置される番組リストであってもよい。さらに、番組リストに提示されるチャンネル（の番組）の数は５つに限定されるものではない。番組関連情報は、放送局名および番組名だけでなく、チャンネル番号、放送波、ジャンルなどの情報も提示されてもよい。
【００６９】
そして、図５（ｂ）に示す画面が表示されている状態で、例えば、テレビジョン受像機１０の利用者が、リモコンＲＣに設けられた終了キー２０９などを押下すると、図５（ａ）に示す画面が再び表示される。
【００７０】
また、図５（ｂ）に示した画面にように、動画映像の近傍に、静止画像が提示される番組リストが合成されるのではなく、図６に示す画面のように、動画映像の上に、静止画像が提示される番組リストが重畳されて合成される実施形態であってもよい。このような実施形態では、動画映像の一部は番組リストによって隠されてしまうが、隠されていない領域の映像は図５（ｂ）の画面よりも大きく提示されて、視認され易いともいえる。
【００７１】
次に、図７を用いて、ＯＳＤ生成部３０５が生成するＥＰＧに、動画出力処理部３０２が生成する動画映像と、映像出力処理部３０３が順次生成する静止画像とが合成された画面の一例を説明する。
【００７２】
図７（ａ）に示す画面は、通常の視聴のために出力されている状態を示す画面であり、図５（ａ）に示した画面と略同様であるので詳細な説明は省略し、異なる点を説明する。
【００７３】
この画面では、放送局６で放送されている番組６の動画映像が表示される画面の右上に、放送局名および番組名だけでなく、現在時刻である“１１：２０”の文字が追加されたＯＳＤ画像が合成されている点で異なる。
【００７４】
図７（ａ）に示す画面が表示されている状態で、例えば、テレビジョン受像機１０の利用者が、リモコンＲＣに設けられたＥＰＧキー２０２などを押下すると、図７（ｂ）に示す画面が表示される。
【００７５】
図７（ｂ）に示す画面は、ＯＳＤ生成部３０５が生成するＥＰＧに、動画出力処理部３０２が生成する動画映像と映像出力処理部３０３が順次生成する静止画像とが合成された画面の一例である。
【００７６】
この例では、放送局１〜７それぞれのチャンネルの、１１：００から１６：００までの大凡５時間分の、現在放送されている番組および放送が予定されている番組の番組関連情報が、チャンネルと時刻とのマトリクスにより配置されて提示されるＥＰＧが、画面の略全体を占めて表示されている。さらに、このＥＰＧには、番組６の動画映像と番組１〜５および番組７の静止画像とが、これらの番組関連情報と関連付けられて配置された映像提示領域に提示される。番組１〜７は、現在複数のチャンネルで放送されている番組であり、番組８〜２８は、放送が予定されている番組である。また、このＥＰＧが表示される前に出力されていた番組６の音声がスピーカ６２から出力される。
【００７７】
図７（ｂ）のような映像を生成するために、ＯＳＤ生成部３０５が生成したＥＰＧの画像に、放送波処理部２１が選局した番組６の信号に基づいて、動画出力処理部３０２が生成した番組６の動画映像と、放送波処理部２２が順次選局した番組１〜５および番組７の信号に基づいて、映像出力処理部３０３が順次生成した番組１〜５および番組７それぞれの静止画像とが合成される。すなわち、番組１〜５および番組７の静止画像は、この番組リスト中で巡回して更新されて表示される。このようにして、放送波処理部２１，２２の数よりも多い数の番組の映像が配置されるＥＰＧが表示される。
【００７８】
そして、これ以降では、図７（ｂ）に示す画面の構成を詳細に説明する。
図７（ｂ）に示す画面に表示されるＥＰＧには、それぞれのチャンネルで現在放送されている複数の番組の番組関連情報と、静止画像または動画映像とはそれぞれが上下に隣り合って関連付けて配置されている。例えば、番組１の番組関連情報である放送局名“放送局１”が表示される領域と番組名“番組１”が表示される領域との上または下に、番組１の静止画像が関連付けて配置されて表示される。同様に、番組２〜５、７に関しても、それぞれの番組の番組関連情報が表示される領域の上または下に、それぞれの番組の静止画像が関連付けて配置されて表示される。そして、このＥＰＧが表示される前に出力されていた番組６に関しては、番組６の番組関連情報が表示される領域の上または下に、番組６の動画映像が関連付けて配置されて表示される。それぞれの番組の静止画像または動画映像は、図７（ｂ）に示す画面のように、放送局名が表示される領域と番組名が表示される領域との間に配置されるのではなく、放送局名が表示される領域の上に配置されてもよい。
【００７９】
さらに、図７（ｂ）に示す画面では、図５（ｂ）に示した画面と同様に、特定の番組関連情報を表示する表示領域または特定の映像（動画映像または静止画像）が選択（フォーカス）される。具体的には、図７（ｂ）に示す画面では、番組６の番組関連情報の表示領域が選択されている。これは、このＥＰＧが表示される前に番組６が出力されていたことに起因し、番組６の番組関連情報の表示領域ではなく、番組６の動画映像が選択されてもよい。そして、フォーカスマークは、図５（ｂ）に示した画面と同様に移動することができる。
【００８０】
また、特定の映像が選択されている場合、選択された映像に対応する番組関連情報も関連付けて連動するフォーカスマークによって強調表示されてもよい。逆に、特定の番組関連情報が選択されている場合、選択された番組関連情報に対応する映像が表示されていれば、この映像も関連付けて連動するフォーカスマークによって強調表示されてもよい。
【００８１】
さらに、特定の静止画像が選択されている場合、選局制御部３０１は、放送波処理部２２が順次選局することを停止して選択された静止画像に係るチャンネルの選局を継続するように制御し、映像出力処理部３０３が、この継続して選局されたチャンネルの番組の信号に基づいて、動画映像を生成してもよい。このとき合成部３０６は、ＥＰＧの画像に、動画出力処理部３０２が生成した番組６の動画映像と、映像出力処理部３０３が生成した動画映像と、さらに、これまでに映像出力処理部３０３が順次生成した静止画像とを合成した画面を、表示部６１が表示する。
【００８２】
また、図７（ｂ）に示す画面に表示されるＥＰＧでは、放送局１〜７の７つのチャンネル分しか表示されていないが、これ以外の複数のチャンネルも選局できることがある。具体的には、図７（ｂ）に示す画面では、チャンネル６の番組６がフォーカスされている状態で、テレビジョン受像機１０の利用者が、リモコンＲＣに設けられた方向キー２０６の右方向キーを押下することで、チャンネル７の番組７の次に、チャンネル８の番組Ｎ、チャンネル９の番組Ｎ＋１、・・・と、これまでにＥＰＧに表示されていなかった新たなチャンネルの番組関連情報と映像とを表示させることができる。
【００８３】
さらに、現在放送されている番組の番組関連情報の表示領域または映像が選択されている状態で、テレビジョン受像機１０の利用者が、リモコンＲＣに設けられた決定キー２０７を押下することで、選択されていた番組の映像を動画映像として表示し、音声をスピーカ６２から出力させることができる。例えば、図７（ｂ）に示す画面で、放送局２の番組２の番組関連情報の表示領域または映像が選択されている場合、この状態で決定キー２０７が押下されると、現在、ＥＰＧ中で静止画像であった番組２の映像が動画映像に切り替わって表示され、また、番組２の音声がスピーカ６２から出力される。そして、ＥＰＧ中で動画映像であった番組６の映像は、静止画像に切り替わって表示される。しかし、図７（ｂ）に示す画面で、現在、ＥＰＧ中で動画映像として表示されている、放送局６の番組６の番組関連情報の表示領域または映像が選択されている場合、この状態で決定キー２０７が押下されても、番組６の映像が、動画映像として表示される状態を継続する。
【００８４】
ＥＰＧで提示される放送局は、現在動画映像と音声とが出力されている番組の放送局と、同一の放送局であること、または、同一の放送局が優先的に提示されることが好ましい。同一の放送局とは、例えば、現在動画映像と音声とが出力されている番組の放送局が地上デジタル放送波の放送局であれば、ＥＰＧで提示される放送局も地上デジタル放送波の放送局であるということである。放送局は、地上デジタル放送波ではなく、ＢＳデジタル放送波、ＣＳデジタル放送波などであってもよいことは言うまでもない。
【００８５】
また、ＥＰＧに提示されるチャンネルの数は７つに限定されるものではない。番組関連情報は、放送局名および番組名だけでなく、チャンネル番号、放送波、ジャンルなどの情報も提示されてもよい。
【００８６】
そして、図７（ｂ）に示す画面が表示されている状態で、例えば、テレビジョン受像機１０の利用者が、リモコンＲＣに設けられた終了キー２０９などを押下すると、図７（ａ）に示す画面が再び表示される。このとき、ＥＰＧ中で動画映像として表示されている番組の映像が、動画映像として表示器６１の画面全体に表示され、また、音声がスピーカ６２から出力される。
【００８７】
以上説明したように本実施形態によれば、特定の番組の動画映像が表示されている状態で、番組リストやＥＰＧなどの番組表の提示が要求されると、この要求に応じて、これまでに表示されていた番組の動画映像と、この番組以外の他の番組の静止画像が巡回して表示される番組表が表示されるので、所定数のチューナを利用して、このチューナ数よりも多いチャンネル数の複数の番組の映像を同時に提示することができる。
【００８８】
また本発明は、上述した実施形態に限定されるものではなく、本発明の要旨を変えない範囲において、種々の変更、改変等が可能である。
【符号の説明】
【００８９】
１０…テレビジョン受像機、２１，２２…放送波処理部、３１…外部機器ＩＦ部、３２…ネットワークＩＦ部、４０…信号処理制御部、５１…操作部、５２…受光部、６１…表示器、６２…スピーカ、ＲＣ…リモコン、２０１…メニューキー、２０２…ＥＰＧキー、２０３…リストキー、２０４…選局キー、２０５…放送波選択キー、２０６…方向キー、２０７…決定キー、２０８…戻るキー、２０９…終了キー、２１０…チャンネルアップダウンキー、３０１…選局制御部、３０２…動画出力処理部、３０３…映像出力処理部、３０４…番組関連情報抽出部、３０５…ＯＳＤ生成部、３０６…合成部。
【図１】
2011071582.tif 000003
【図２】
2011071582.tif 000004
【図３】
2011071582.tif 000005
【図４】
2011071582.tif 000006
【図５】
2011071582.tif 000007
【図６】
2011071582.tif 000008
【図７】
2011071582.tif 000009